(57)【要約】【課題】これまでの容器上端の摺り切り作業は容器の開口面積が広いため面倒であったが、円錐台状の中蓋を容器口部に緊密に嵌入したことにより容器口部は中蓋の開口部で置き換えられて小径なりその作業は略々不要となる。【解決手段】試料容器１と、試料容器１へ空気室１７から圧縮空気を導入するようにした上蓋８とからなるフレッシュコンクリートの空気量測定装置において、試料容器１の口部に開口Ｄを設けた略円錐台状の中蓋３を嵌入すると共に、中蓋３の上側に開口Ｄから溢出した余剰フレッシュコンクリートを滞留するための凹部５を形成し、上蓋８の外周に設置した緊締具１１によって中蓋３を容器１と上蓋８に密着させてなるフレッシュコンクリートの空気量測定装置【選択図】        図２
2004333462.tif 000002
【特許請求の範囲】
【請求項１】
試料容器と該試料容器へ空気室から圧縮空気を導入するようにした容器上蓋とからなるフレッシュコンクリートのエアーメーターにおいて、試料容器と上蓋との間にあって、該容器の口部に略円錐台状で中央部に開口を有する中蓋を嵌入すると共に、該中蓋の上側に中央開口から溢出したフレッシュコンクリートを滞留するための凹部を形成したことを特徴とするフレッシュコンクリートの空気量測定装置
【請求項２】
中蓋の外周鍔縁を試料容器口縁と上蓋との間に介在させ、上蓋に裝設した緊締具を容器口縁に掛止することにより中蓋を試料容器に緊締することを特徴とする請求項１記載のフレッシュコンクリートの空気量測定装置
【請求項３】
中蓋の周縁部に指掛け用の環状突縁を形成したことを特徴とする請求項１、２に記載のフレッシュコンクリートの空気量測定装置
【発明の詳細な説明】
【０００１】
【発明の属する技術分野】
本発明はコンクリートの耐久性を左右するフレッシュコンクリート（生コンクリート：以下生コンと略称する）の空気量測定装置の改良に関する。
【０００２】
【従来の技術】
最近、高速道路やトンネルその他コンクリート建造物の脆化が問題視されており、コンクリート本来の強度維持を図るために国土交通省が耐久性指針として単位水量の許容値を示し、施工時に生コン中の単位水量測定を義務づけている。
【０００３】
コンクリートの強度や耐久性はコンクリートを混練する際の水セメント比、つまり水とセメントの配合比が大きく係わっているので単位水量を測定するが、しかし単位水量は空気量によって大きく影響を受けるので、単位水量の測定のみならず空気量の簡単且つ迅速な計測方法が求められている。
【０００４】
そこで、従来の単位容積質量法（空気室圧力法）を実施する装置の概要は、容器に摺り切り（約７ｌ）まで試料を投入した後中央部に向かって緩慢な山形傾斜を有する蓋体を施し、蓋体と試料上面とのなす空間に注水して残留空気を追い出し密閉してから空気室内に貯えた圧縮空気を作動弁の操作で容器内へ導入し平衡圧を求める方法がある。（例えばＪＩＳ．Ａ１１２８：１９９９参照）
【０００５】
【発明が解決しようとする課題】
しかし、上記従来の空気量測定装置は、試料を容器満杯まで投入して摺り切り処理を行うが、摺り切り作業は容器口部が広くて容易でない許かりか、精度を高めるために行う注水作業は煩わしく、しかも注水によって空気を追い出すために形成した空間が容器口部より上位に位置していることが気密や水密を技術的に維持することを困難にし、また注水段階での余剰水を排除するための技術的配慮も必要となるなど多くの問題点を有する。
【０００６】
【課題を解決するための手段】
本発明は容器と該容器へ空気室から圧縮空気を導入するようにした容器上蓋とからなるフレッシュコンクリートの空気量測定装置において、試料容器の口部に円錐台状の傾斜を持ち、しかもその中央に小径の開口を形成した中蓋を嵌脱自由に嵌入し、上蓋外周に設置した複数個の緊締具により中蓋を容器と上蓋に緊密に密着させてなる。
【０００７】
【発明の実施の形態】
以下第１図乃至第５図に示す実施例について詳細に述べると、先ず本発明の最も要旨とするところは試料（生コン）を収容する容器１と、該容器１の口部に嵌入する円錐台状の中蓋３と、該中蓋３を容器１の口縁２に上部から抑圧して密着定設を図る上蓋８とからなる。
【０００８】
先ず試料容器１は従来のものと略々同様のものが使用されるが、中蓋３は中央部に設けた小径の開口Ｄを頂部とするように該開口Ｄに向かって下面を円錐台状に水平角で約２０°傾斜させて対接面４とすると共に、該中蓋３の上面外周寄りに凹部５を形成する。
【０００９】
また、該中蓋３には容器１の口縁２上に被さる鍔縁７を形成して容器１に対する中蓋３の安定した位置決めを図っており、しかも中蓋３の開口Ｄの開口面は前記鍔縁７の上面と同一平面となるように仕上げられており、更に鍔縁７の反対位置には指掛け用の内向き環状突縁６を突設して該中蓋３を容器１の口部から容易に離脱できるようにしている。
【００１０】
一方、上蓋８にはその外周四方（図３参照）に緊締具１１を装着しており、具体的には上蓋８の側面に切り欠き８′を形成して支持部材９を螺子９′により螺着し、フック金具１２の両側に屈曲突設した一対の連設片１４、１４を該支持部材９の側面に螺軸その他ピン１５、１５等によって回動自由に枢設すると共に前記フック金具１２の他方寄りには試料容器１の口縁２の下面に取着したリング１０に圧接する一対の掛止片１３、１３を屈曲形成している。
【００１１】
上述のように上蓋８を中蓋３の鍔縁上に載置して外周四方に設置した緊締具１１により締め付けて安定保持を図り、上蓋８の外部上面に設置した操作ハンドル１６を操作することで上蓋８の上部片方寄りに連設した空気室１７から中蓋３の開口Ｄに臨む通気路を開閉するようにしている。又、中蓋と容器及び上蓋との間はＯリングで気密を図っている。尚、符号１８は防塵用の化粧カバーを示す。
【００１２】
以下作用について述べる。先ず試料容器１を開放した状態（図２参照）でフレッシュコンクリート（生コン）を容器口から約５ｍｍ位の位置まで投入（約７ｌ）し、次いで中蓋３を容器口に嵌入して鍔縁７が容器１の口縁２に密着するまで抑え込むことにより余剰の試料は中蓋３の傾斜対接面４に押されて迫り上がり開口Ｄから溢出し凹部５に滞留する。
【００１３】
このようにして中蓋３は試料と対接する面を円錐面とした事により中蓋を施す際に下側に空気溜まりが全くできず、しかも溢出する開口Ｄの面積が頗る小さく摺り切り作業が極度に軽微となり殆どその必要がなくなる。
【００１４】
次に上蓋８を中蓋上に重ねてその外周四箇所に設置した緊締具１１のフック金具１２を下方へ回動し、掛止片１３によって容器１の口縁下面に定着したリング１０（図４参照）に掛止すると、上蓋８、試料容器１の両者はフック金具によって互い引き寄せられ、中蓋３は上蓋８、容器１の何れとも緊密に密着し、容器内は外部と完全に遮断され密閉状態が保たれる。
【００１５】
空気室１７内へは逆止弁付の給気口から携帯用のボンベ（約１００ｋＰａ）の圧縮空気を送入し、全ての準備が終了した時点で操作ハンドル１６を上昇させて作動弁を開放することにより、空気室１７内の圧力は容器１内に作用し平衡圧に到達する。
【００１６】
従って、容器内に投入した試料には生コンの状態や性質によって夫々異なる値の空気量が潜在し、空気室の気圧が生コンに作用した場合平衡圧は低下するのでこのことをボイルの法則に照らして生コン中の空気量を算出する。
【００１７】
尚、本装置における空気室と中蓋を嵌入した状態の開口Ｄまでの容器の実容積比は１：５とし、空気量算出には骨材修正係数その他各種数値等夫々のデータはタッチパネルコンピュータの操作によって直ちに演算処理される。
【００１８】
上述のようにして空気量の測定作業が終了すれば、先ず空気室を開放し、操作ハンドル１６を上げて空気室及び容器内に作用している圧力の低減を図った後、各緊締具１１、１１・・のフック金具１２、１２・・を外側に回動して掛止片１３をリング１０から外して上蓋８を取り除く。
【００１９】
また、容器１の口縁２から中蓋３を離脱するには環状突縁６に手指を掛けて試料の重量に抗して上方へ引き上げることで簡単に摘除することができ、該中蓋３の凹部５に滞留した余剰生コンは固まり付かないうちに水洗いし継続作業への準備に備えると同時に容器内の生コンについても適宜処理するものとする。
【００２０】
以上述べたように本発明は、無注水タイプの生コン中の空気量測定装置であって容器１内に試料との対接面を山形の円錐台状面とした中蓋３を嵌入することによって余剰試料は該中蓋３の傾斜により中央の小径開口から排除されるので、空気の籠もるところが全くない許かりでなく、摺り切り作業面も殆どなく、しかも嵌脱容易な中蓋を使用した理想的な発明である。
【００２１】
【発明の効果】
本発明は試料との対接面を山形の円錐台状面とした中蓋３を使用したことにより該中蓋３を容器口部に嵌合した際中蓋の下面に空気溜まりできず、しかも試料が中蓋の開口Ｄの位置まで迫り上がるので摺り切り面が少なくて済み作業が著しく容易である。
【００２２】
無注水タイプであるが試料との対接面を山形の円錐台状面とした中蓋３を容器１内に嵌入しているため気密の維持が極めて容易である。
【００２３】
上述のように中蓋３は試料との対接面を山形の円錐台状面に形成したことにより、該中蓋３の上面周辺寄りに溢出試料を滞留させる凹部５を形成することができる。
【００２４】
また、中蓋３の周縁部に指掛け用の内向き環状突縁６を突設しているので、容器に対する中蓋の嵌脱が極めて容易に行える。
【００２５】
掛止片１３を一体的に屈曲突設したコンパクトなフック金具１２を上蓋８の外周複数箇所に回動自由に枢設したことにより中蓋３を容器１と上蓋８に緊密に密着保持することができる。
【図面の簡単な説明】
【図１】本発明実施例の一部切欠側面図
【図２】同上分解側面図
【図３】同上平面図
【図４】本発明実施例の要部拡大側面図
【図５】図４Ａ−Ａ横断平面図
【符号の説明】
１  容器
２  口縁
３  中蓋
４  対接面
５  凹部
６  環状突縁
７  鍔縁
８  上蓋
９  支持部材
１０  リング
１１  緊締具
１２  フック金具
１３  掛止片
Ｄ  開口
【図１】
2004333462.tif 000003
【図２】
2004333462.tif 000004
【図３】
2004333462.tif 000005
【図４】
2004333462.tif 000006
【図５】
2004333462.tif 000007